(57)【要約】【課題】片麻痺上肢を支持したい時、左右いずれの麻痺にも適用可能な、しかも、立位・歩行動作時に発生する支持の動揺を軽減し、肩関節の脱臼や亜脱臼の予防と、肩関節の安静保持を持続し得る上肢支持具を提供する。【解決手段】両端が開口し筒状に形成させた袋状本体１の底面部に、取り外し自在な腰ベルト２を結合させ、次にその袋状の左右どちらの側面にも肩掛けベルト３を結合させることで、患側上肢に適用できる上肢支持具である。装着手順としては、まず、腰ベルトを腰回りに沿って一周させ、両端に備えた面ファスナー上で調整しながら、９に１０を結合させ止める。次に袋状内に患側上肢を挿入した上で、袋状の患側側に結合させた肩掛けベルトをそのまま患側肩を通り背中を斜め下方に横断させ、健側腋下から前面に回し、前胸部に備えたバックル１３で長さの微調整をしながら、そのベルトの両端に備えた面ファスナー１１に１２を結合させ使用する。【選択図】    図１
2004166754.tif 000002
【特許請求の範囲】
【請求項１】
両端が開口し筒状に形成させた袋状本体の底面部に取り外し自在とする腰ベルトを取り付け、さらにその袋状の両側面に取り外し自在な肩掛けベルトを取り付けた上肢支持具。
【請求項２】
上記の袋状本体・腰ベルト・肩掛けベルトのそれぞれを結合させる結合具としてフック及び面ファスナーを備えた請求項１記載の上肢支持具。
【請求項３】
腰ベルト・肩掛けベルトは、いずれも使用する者の体格に合わせて長さの調節できる、面ファスナー及びバックルを備えた請求項１又は２記載の上肢支持具。
【請求項４】
袋状本体の左右側面に肩掛けベルトを左右自在に結合させるための結合具を設け、さらに肩掛けベルトの両端には、そのベルトの緩みを防ぐための面ファスナーを備えた請求項１、２又は３記載の上肢支持具。
【発明の詳細な説明】
【０００１】
【発明の属する技術分野】
本発明は脳卒中や外傷による片麻痺患者の麻痺上肢を支えるための上肢支持具に関する。
【０００２】
【従来の技術】
従来，脳卒中や外傷による片麻痺患者の麻痺上肢を支える手段としては、三角巾の活用が一般的である。麻痺上肢を支持する目的は、麻痺による上肢の下垂から生じる重みによって発生する肩の脱臼、亜脱臼を予防したり、肩関節周囲筋の安静を保つことにより肩関節の炎症や疼痛を予防することを目的としている。しかし三角巾では医療の専門家以外の一般の人々には正確な装着が困難であり、三角巾を首に吊る状態となる。そこで特開２０００−２４５７６１号公報に開示されている「腕吊具」が公知である。
【０００３】
【発明が解決しようとする課題】
医療の専門家による従来の三角巾あるいは特開２０００−２４５７６１号公報の「腕吊具」は、首に負担をかけずに上肢を支持する目的は果たしているが、脳卒中などの片麻痺患者は左右いずれかの患側上肢のみならず躯幹・下肢も麻痺し、しかも高齢者が多いため立位・歩行動作時には体幹の前屈の強度化、及び麻痺側に傾く傾向となる。それに伴い麻痺上肢も揺れ動くため肩関節が不安定となることによる肩の脱臼、亜脱臼、又は炎症などの予防の低下が生じるため、より安定した保持が必要となる。
【０００４】
そこで本発明は、首に負担をかけず、麻痺による肩の脱臼、亜脱臼を予防したり肩関節周囲筋の安静を保てることを確実にし肩関節の炎症や疼痛を予防する事を目的とする。
【０００５】
【課題が解決するための手段】
本発明は、上記の目的を達成させるためのもので，両端が開口し筒状に形成させた袋状本体１の底面部に腰ベルト２を、さらにその袋状本体の左右側面に肩掛けベルト３を自在に結合させて一体としたものである。そこで、それらを結合させる方法を説明する。まず、図１に示すように袋状本体の底面部の両端にフック凸４ａ・４ｂを取り付け、それらのフック凸４に結合させるための飾りつきフック凹５ａと凹５ｂをフック凸４ａ及びフック凸４ｂと同じ間隔で腰ベルトの一方の端に取り付ける。次に、右上肢支持具として適用させるために、袋状本体の右端４ヶ所にフック凸６ａ・６ｂ・６ｃ・６ｄを取り付け、又、左上肢支持具として、左端４ヶ所にフック凸７ａ・７ｂ・７ｃ・７ｄを取り付ける。それらのフック凸６及び、凸７に結合させるための飾り付きフック凹８ａ・８ｂ・８ｃ・８ｄをフック凸６及び、フック凸７と同じ間隔で肩掛けベルトの一方側の端に取り付けて、フック凸６及び、フック凸７に結合させる。左右どちらの上肢に適用させるかは、フック凸６とフック凸７のどちらかを選択して結合させる。結合具としてはフック以外の雄雌の係止部材などでもよい。
【０００６】
次に使用者の体格に合わせるために、腰ベルトと肩掛けベルトの長さ調節具を設ける。腰ベルトには、ベルトの両端に面ファスナー凸９・凹１０を取り付け、腰ベルトを腰回りに沿って一周させベルト長を適宜調節しながら９を１０に結合させて止める。調節具としては面ファスナー以外の雄雌の係止部材等でもよい。
【０００７】
肩掛けベルトの長さ調節具としてバックル１３を取り付ける。さらにそのベルトの緩みを防ぐためにベルトの両端に面ファスナー凸１１と凹１２を取り付け長さを微調整しながら１１に１２を結合させて止めることでベルトの緩みを無くする。
【０００８】
以上のように構成された上肢支持具を使うことで麻痺上肢を腰部、肩、及び、前胸部で支えることにより麻痺による上肢の下垂から生じる重みによって発生する肩の脱臼，亜脱臼を予防したり肩関節周囲筋の安静を保つことによって肩関節の炎症や疼痛を予防するという目的をより確実なものにする。
【０００９】
【発明の実施の形態】
本願の実施の形態を実施例にもとづき図面を参照して説明する。
即ち，本願に示す上肢支持具（図１）は、両端が開口し筒状に形成させた袋状本体１、腰ベルト２、肩掛けベルト３を一体として成り、筒状袋本体（図２）の底面部の左右２ヶ所にフック凸４ａ・４ｂを備え、腰ベルト（図３・図４）の一方の端の２ヶ所に取り付けた飾り付きフック凹５ａ・５ｂとを結合させる。また、右上肢用支持具として適用させるために袋状本体の右端４ヶ所に凸６ａ・６ｂ・６ｃ・６ｄを備え、又、左上肢用支持具として適用させるために袋状本体の左端４ヶ所にフック凸７ａ・７ｂ・７ｃ・７ｄを取り付ける。これらのフック凸６及びフック凸７に、結合させるための飾り付きフック凹８ａ・８ｂ・８ｃ・８ｄを、フック凸６やフック凸７と同じ間隔で肩掛けベルト（図５・図６）の一方の端に取り付け、左右どちらの上肢支持具とするかはフック凸６又はフック凸７のどちらかを選択して飾り付きフック凹８を結合させる。
【００１０】
使用者の体格に合わせるために、腰ベルト及び肩掛けベルトには長さ調節のための調節具を備えた。
【００１１】
それは、腰ベルト（図３・図４）の端に面ファスナー凸９と凹１０を備え、使用者の腰回りに沿って一周させ面ファスナー上で微調整しながら、凸９に凹１０を結合させ止める。
【００１２】
又、肩掛けベルトの長さ調節具としてバックル（図７）を備えることとし、袋状本体の患側前面に結合させた肩掛けベルトはそのまま患側肩を通り背中を斜め下方に横断させ、健側腋下から前面に回しそのまま前胸部に備えたバックルで長さの調節をしながら肩掛けベルトの両端に備えた面ファスナー１１に１２を結合させ止める。
【００１３】
ここでは右上肢用支持具として記述し、（図８、図９）に示すように装着する。
【００１４】
この上肢支持具は頻回の洗濯に耐え得る布材、フック、面ファスナー等の素材とした。
【００１５】
【発明の効果】
本発明は、以上のように構成された上肢支持具を使用する事で従来の三角布の装着では首に吊る状態となる事の解決のみならず、袋状本体に腰ベルトと肩掛けベルトを設置した事で脳卒中や外傷による麻痺上肢の確実で正しい安定した支持が得られ、麻痺による下垂から生じる重みによって発生する肩の脱臼・亜脱臼の予防や、持続した肩関節周囲筋の安静による肩関節の炎症や疼痛の予防も確実とし、さらに、体幹バランスの安定を得ることができる。
【００１６】
腰ベルトや肩掛けベルトの取り外し可能とした構成は、腰ベルトについては、症状の経過に応じて取り外して適用できるために、使用範囲の幅を広げた。さらに、腰ベルトと肩掛けベルトを共に取り外せることで、汚染度の高い袋状本体のみの洗濯を至極容易にした。
【００１７】
左右の上肢支持具としての使い分けは、肩掛けベルトを袋状本体の左右のいずれかに結合させることで容易に可能となるため、各医療機関で備える際には非常に経済的である。
【図面の簡単な説明】
【図１】上肢支持具の全体正面図
【図２】筒状袋の正面図
【図３】腰ベルトの表側平面図
【図４】腰ベルトの裏側平面図
【図５】肩掛けベルトの表側平面図
【図６】肩掛けベルトの裏側平面図
【図７】肩掛けベルト調節具の平面図（バックル）
【図８】使用者と上肢支持具との関係を表した前面図
【図９】使用者と上肢支持具との関係を表した背面図
【符号の説明】
１筒状袋
２腰ベルト
３肩掛けベルト
４ａ、４ｂ      フック凸
５ａ、５ｂ      飾り付きフック凹
６ａ、６ｂ、６ｃ、６ｄ      フック凸
７ａ、７ｂ、７ｃ、７ｄ      フック凸
８ａ、８ｂ、８ｃ、８ｄ      飾り付きフック凹
９面ファスナー凸
１０面ファスナー凹
１１面ファスナー凸
１２面ファスナー凹
１３肩掛けベルト長さ調節具      バックル
【図１】
2004166754.tif 000003
【図２】
2004166754.tif 000004
【図３】
2004166754.tif 000005
【図４】
2004166754.tif 000006
【図５】
2004166754.tif 000007
【図６】
2004166754.tif 000008
【図７】
2004166754.tif 000009
【図８】
2004166754.tif 000010
【図９】
2004166754.tif 000011